(57)【要約】【課題】転がり軸受ユニットの軸受から発生する摩耗粉（鉄粉等）等の異物が外部へ流出しないように捕捉する捕捉手段を、転がり軸受ユニット内に容易に取り付けできるようにする。【解決手段】外輪１及び内輪２と、転動体３と、軸受空間の外側に位置し潤滑油によって部材同士の可動部が潤滑される作動機構部３０と、外輪１若しくは外輪１に固定されたハウジング１１に取り付けられ、軸受空間内から作動機構部３０へ通じる潤滑油通路を覆うシールリング４０と、シールリング４０に設けられ軸受空間内から作動機構部３０へと流出する潤滑油に含まれる異物を捕捉するフィルタ部４６，４７とを備え、シールリング４０は軸受空間の側方開口Ｄに沿う円環状を成しその円環の周方向に沿って分割された複数の分割シール部材４０’の連結体である転がり軸受ユニットとした。【選択図】図１
2017180727.tif 000002
【特許請求の範囲】
【請求項１】
外輪及び内輪と、
前記外輪と前記内輪との間の軸受空間に配置される転動体と、
前記軸受空間の外側に位置し潤滑油によって部材同士の可動部が潤滑される作動機構部と、
前記外輪若しくは前記外輪に固定された部材、又は、前記内輪若しくは前記内輪に固定された部材の一方に取り付けられ、前記軸受空間内から前記作動機構部へ通じる潤滑油通路を覆うシール部材と、
前記シール部材に設けられ前記軸受空間内から前記作動機構部へと流出する潤滑油に含まれる異物を捕捉するフィルタ部と、
を備え、
前記シール部材は前記軸受空間の側方開口に沿う円環状を成しその円環の周方向に沿って分割された複数の分割シール部材の連結体である
転がり軸受ユニット。
【請求項２】
前記外輪は固定側、前記内輪は回転側であり、前記シール部材は前記外輪若しくは前記外輪に固定された部材に取り付けられている
請求項１に記載の転がり軸受ユニット。
【請求項３】
前記シール部材に、対の電極間への金属からなる異物の付着を電気的に検出するセンサ装置を備え、
前記センサ装置の電気配線を周方向に隣り合う前記分割シール部材間で電気的に接続する配線接続部を備える
請求項１又は２に記載の転がり軸受ユニット。
【請求項４】
周方向に隣り合う前記分割シール部材同士の固定は互いの対向部に備えられた係合手段により行われ、
前記配線接続部は周方向に隣り合う前記分割シール部材の対向部間に備えられる接触子同士が導通状態に密着して構成されている
請求項３に記載の転がり軸受ユニット。
【請求項５】
前記センサ装置は、
前記フィルタ部の軸受空間側に位置し互いに間隔を置いて配置される対の電極と、
前記対の電極からそれぞれ電気配線が伸びて電源に至る電気回路と、
前記対の電極間への金属からなる異物の付着に伴う前記電気回路の電気的出力の変化を検出することによって潤滑油に含まれる金属片の状態を検知する出力検出装置と、
を備え
前記電源に至る電気配線は、複数の前記分割シール部材のうち一の前記分割シール部材から電源へ向かって引き出され、
他の前記分割シール部材の電気配線は前記配線接続部を介して一の前記分割シール部材の電気配線と接続されている
請求項３又は４に記載の転がり軸受ユニット。
【請求項６】
周方向に隣り合う前記分割シール部材の対向面の少なくとも一方に凹部を備え、
一方の前記分割シール部材の前記凹部とそれに対向する他方の前記分割シール部材の対向面とによって孔部が構成されて前記フィルタ部の一部となっている
請求項１乃至５のいずれか一つに記載の転がり軸受ユニット。
【発明の詳細な説明】
【技術分野】
【０００１】
この発明は、オイル潤滑される転がり軸受に関し、特に、潤滑用のオイルに含まれる異物の捕捉する機能を備えた転がり軸受ユニットに関するものである。
【背景技術】
【０００２】
輸送機器や産業機械、その他各種機器の可動部には、転がり軸受が組み込まれている。このような機器の中には、油潤滑される転がり軸受以外に潤滑が必要な作動機構部を有し、その作動機構部と転がり軸受とが、共通のオイルで潤滑される構造となっているものがある。作動機構部としては、例えば、ギヤ同士の噛み合い部分や部材同士の摺接部分等が挙げられる。
【０００３】
例えば、オイルポンプ等は、機器の内部に転がり軸受と作動機構部とを有している。また、特に、オイルポンプは、その転がり軸受と作動機構部とを備えた機器の外部にある他の作動機構部に向かって、内部の潤滑油を送り出す機能を備えている。
【０００４】
ところで、転がり軸受の軸受空間からは、摩耗粉（鉄粉等）等の異物が発生することがある。この異物が、潤滑油の循環経路の途中にある作動機構部に侵入すると、異物の噛み込みによって、機器の耐久性を低下させる場合がある。また、場合によっては、機器の動作不良・故障・破損に繋がることもある。
【０００５】
そこで、例えば、特許文献１には、鉄粉等からなる異物が循環経路内に流通する潤滑油に混入した場合に、その異物をセンサが備える磁石に吸着させ、吸着した異物が堆積していくことにより金属製のケーシングと磁石とが電気的に導通した場合に、警報を発信する潤滑油の鉄粉汚濁検知方法が開示されている（例えば、特許文献１参照）。
【先行技術文献】
【特許文献】
【０００６】
【特許文献１】特開平７−２８０１８０号公報
【発明の概要】
【発明が解決しようとする課題】
【０００７】
上記のように、転がり軸受から発生する摩耗粉（鉄粉等）等の異物が、潤滑油の循環経路の途中にある作動機構部に侵入することは好ましくない。特に、オイルポンプ用の転がり軸受ユニットにおいて、軸受から発生する大きな剥離片は、そのオイルポンプ自身の作動機構部や、そのオイルポンプによって送り出される潤滑油の循環経路内にある他の作動機構部の部品に対して、動作不良・故障・破損の原因となる。このため、転がる軸受内からの異物の流出防止や、その異物が発生した際の異物の検出が必要となる。
【０００８】
上記特許文献１に記載の技術では、センサが備える磁石は、潤滑油の循環経路内に臨んでいる。しかし、この技術では、循環経路内の潤滑油に含まれる異物の多くは、センサの磁石に吸着することなく、その傍らを通過してしまう可能性がある。また、特許文献１に記載の技術では、異物の捕捉は、潤滑油内の異物の混入度合いを検知するのに必要な最小限度の量にとどまり、その結果、残りの異物の作動機構部への侵入を阻止できないという問題もある。
【０００９】
そこで、この発明の課題は、転がり軸受ユニットの軸受から発生する摩耗粉（鉄粉等）等の異物が、軸受外へ流出しないようより確実に捕捉することであり、特に、その異物の捕捉手段を転がり軸受ユニット内に容易に取り付けできるようにすることである。
【課題を解決するための手段】
【００１０】
上記の課題を解決するために、この発明は、外輪及び内輪と、前記外輪と前記内輪との間の軸受空間に配置される転動体と、前記軸受空間の外側に位置し潤滑油によって部材同士の可動部が潤滑される作動機構部と、前記外輪若しくは前記外輪に固定された部材、又は、前記内輪若しくは前記内輪に固定された部材の一方に取り付けられ、前記軸受空間内から前記作動機構部へ通じる潤滑油通路を覆うシール部材と、前記シール部材に設けられ前記軸受空間内から前記作動機構部へと流出する潤滑油に含まれる異物を捕捉するフィルタ部と、を備え、前記シール部材は前記軸受空間の側方開口に沿う円環状を成しその円環の周方向に沿って分割された複数の分割シール部材の連結体である転がり軸受ユニットを採用した。
【００１１】
ここで、前記外輪は固定側、前記内輪は回転側であり、前記シール部材は前記外輪若しくは前記外輪に固定された部材に取り付けられている構成を採用することができる。
【００１２】
これらの各構成において、前記シール部材に、対の電極間への金属からなる異物の付着を電気的に検出するセンサ装置を備え、前記センサ装置の電気配線を周方向に隣り合う前記分割シール部材間で電気的に接続する配線接続部を備える構成を採用することができる。
【００１３】
また、周方向に隣り合う前記分割シール部材同士の固定は互いの対向部に備えられた係合手段により行われ、前記配線接続部を、周方向に隣り合う前記分割シール部材の対向部間に備えられる接触子同士が導通状態に密着して構成することができる。
【００１４】
前記センサ装置は、前記フィルタ部の軸受空間側に位置し互いに間隔を置いて配置される対の電極と、前記対の電極からそれぞれ電気配線が伸びて電源に至る電気回路と、前記対の電極間への金属からなる異物の付着に伴う前記電気回路の電気的出力の変化を検出することによって潤滑油に含まれる金属片の状態を検知する出力検出装置と、を備え、前記電源に至る電気配線は、複数の前記分割シール部材のうち一の前記分割シール部材から電源へ向かって引き出され、他の前記分割シール部材の電気配線は前記配線接続部を介して一の前記分割シール部材の電気配線と接続されている構成を採用することができる。
【００１５】
これらの各構成において、周方向に隣り合う前記分割シール部材の対向面の少なくとも一方に凹部を備え、一方の前記分割シール部材の前記凹部とそれに対向する他方の前記分割シール部材の対向面とによって孔部が構成されて前記フィルタ部の一部となっている構成を採用することができる。
【発明の効果】
【００１６】
この発明は、軸受空間内から軸受外の作動機構部へ通じる潤滑油通路を覆うシール部材と、シール部材に設けられ軸受空間内から作動機構部へと流出する潤滑油に含まれる異物を捕捉するフィルタ部とを備える転がり軸受ユニットを採用したので、転がり軸受から発生する摩耗粉（鉄粉等）等の異物が軸受外の作動機構部へ流出しないようより確実に捕捉することができる。また、シール部材は軸受空間の側方開口に沿う円環状を成しその円環の周方向に沿って分割された複数の分割シール部材の連結体で構成したので、異物の捕捉手段を軸受ユニット内に容易に取り付けできる。
【図面の簡単な説明】
【００１７】
【図１】この発明の一実施形態を示し、（ａ）は転がり軸受を複数備えた軸受ユニットにシール部材を取り付けた側面図、（ｂ）は縦断面図
【図２】図１（ｂ）の要部拡大図
【図３】シール部材の斜視図
【図４】（ａ）（ｂ）は、それぞれ分割シール部材の斜視図
【図５】分割シール部材同士の接続部を示し、（ａ）は接続前の状態、（ｂ）は接続後の状態を示す拡大図
【図６】（ａ）（ｂ）は、それぞれ他の実施形態を示す要部拡大図
【図７】（ａ）（ｂ）は、それぞれ他の実施形態を示す要部拡大図
【発明を実施するための形態】
【００１８】
この発明の実施形態を、図面に基づいて説明する。この実施形態は、シール部材４０を取り付けた軸受ユニット２０を備えたオイルポンプ装置１０である。
【００１９】
オイルポンプ装置１０は、機器の内部に転がり軸受を複数備えた軸受ユニット２０と、オイルポンプ６０の作動機構部３０とを有している。
【００２０】
軸受ユニット２０は、ハウジング１１の内部に、油潤滑される３つの転がり軸受２１，２２，２３を並列して備えている。これらの転がり軸受２１，２２，２３によって、オイルポンプ６０の作動機構部３０に通じる軸部材３２を、固定のハウジング１１に対して軸周り回転自在に支持している。
【００２１】
各転がり軸受２１，２２，２３は、外側軌道輪１と内側軌道輪２の各軌道面１ａ，２ａの間に、転動体３が組み込まれている。転動体３は、保持器４によって周方向に保持されている。以下、外側軌道輪１を外輪１と、内側軌道輪２を内輪２と称する。
【００２２】
外輪１はハウジング１１の内径面に圧入されて、そのハウジング１１に対して相対回転不能に固定されている。内輪２は、軸部材３２の外周に圧入されて、その軸部材３２に対して相対回転不能に固定されている。
【００２３】
この実施形態では、転がり軸受２１，２２，２３として、転動体３として円すいころを用いた円すいころ軸受を採用しているが、円すいころ軸受以外の転がり軸受を採用してもよく、また、その転がり軸受２１，２２，２３の並列数は、装置の仕様に応じて自由に設定できる。
【００２４】
オイルポンプ６０の作動機構部３０は、ポンプケーシング内に互いに相対回転することにより潤滑油を循環経路へ送り出すポンプ用ロータ（図示せず）を備える。ポンプ用ロータは、軸部材３２の端部に設けた接続部材３１に接続され、これにより、軸部材３２の軸周りに回転可能な状態である。ロータへの駆動力は、図示しない駆動源から別途のルートで入力される。
【００２５】
図１に示すように、並列する転がり軸受２１，２２，２３のうち軸方向一方側、すなわち、作動機構部３０寄りの２つの転がり軸受２１，２２は、円すいころの小径側端面同士が軸方向に沿って同じ側、すなわち、作動機構部３０の反対側になるように配置されている。
【００２６】
また、並列する転がり軸受２１，２２，２３のうち軸方向他方側、すなわち、作動機構部３０から最も遠い転がり軸受２３は、円すいころの小径側端面が作動機構部３０側になるように配置されている。すなわち、転がり軸受２１，２２と転がり軸受２３とは、円すいころの小径側端面同士が背面合わせになるように配置されている。このため、内側軌道輪２の軌道面２ａと外側軌道輪１の軌道面１ａとは、３列の転がり軸受２１，２２，２３のうち一方側の二つは、軸方向一方側から他方側へ向かって互いの距離が狭まるように設けられ、他方側の一つは、軸方向一方側から他方側へ向かって互いの距離が拡がるように設けられている。
【００２７】
図１に示すように、軸方向に隣り合う転がり軸受２１，２２，２３同士の間には、間座５，６，７が配置されている。
【００２８】
並列する転がり軸受２１，２２，２３のうち軸方向一方側の２つの転がり軸受２１，２２の間には、内径側に、両側の内輪２，２の端面に当接する間座５が、外径側に、両側の外輪１，１の端面に当接する間座６が配置されている。
【００２９】
また、並列する転がり軸受２１，２２，２３のうち軸方向他方側の２つの転がり軸受２２，２３の間には、内径側に、両側の内輪２，２の端面に当接する間座が、外径側に、両側の外輪１，１の端面に当接する間座７が配置されている。図１では、転がり軸受２２，２３の間における内径側の間座は図示していないが、転がり軸受２２，２３の周方向に沿って、潤滑油の循環経路１３ｂの外径側の開口部以外の部分に、間座が配置されている。
【００３０】
並列する転がり軸受２１，２２，２３の両端は、軸方向一方側では、軸部材３２の端部に設けたフランジ状の接続部材３１の端面によって、また、軸方向他方側では、押え部材８の端面によって、軸部材３２に対して軸方向へ動かないように固定されている。これらの接続部材３１と押え部材８との固定によって、各円すいころ軸受には予圧が付与されている。
【００３１】
転がり軸受２１，２２，２３によってハウジング１１に支持された軸部材３２は、オイルを送り出すためのポンプ本体に相当するオイルポンプ６０内の回転部材である作動機構部３０に接続されている。オイルポンプ６０は、その駆動によって、外部にある他の作動機構部７０に向かって、内部の潤滑油を送り出す機能を備えている。送り出した潤滑油は、潤滑油の通路に沿って流れて各部の作動機構部７０を潤滑した後、やがてオイルポンプ６０に戻ってくる。
【００３２】
また、このオイルポンプ６０においては、ポンプ本体内の作動機構部３０と、その作動機構部３０に通じる軸部材３２を支える軸受ユニット２０とが、共通の潤滑用のオイルで潤滑されるようになっている。オイルポンプ６０側の作動機構部３０と軸受ユニット２０側の軸受空間とは、軸方向一方側の転がり軸受２１の軸方向一端側の軸受空間の側方開口Ｄ、及び、潤滑油の循環経路１２，１３を通じて連通している。また、その潤滑油は、ポンプ外の作動機構部にも送り出される。
【００３３】
この実施形態において、循環経路１３は、オイルポンプ側から軸部材３２の軸心と同心となるように軸心方向に沿って設けられた軸方向潤滑経路１３ａと、その潤滑経路１３ａの端部から半径方向外側へ伸びて、軸部材３２の外周面に開口する径方向潤滑経路１３ｂを備える。径方向潤滑経路１３ｂは、転がり軸受２２，２３の間に挟まれた環状空間Ｃに開口しているので、この環状空間Ｃを介して、循環経路１３は、軸方向一方側（図中左側）へは転がり軸受２１，２２の各軸受空間に連通し、軸方向他方側（図中右側）へは転がり軸受２３の軸受空間に連通している。
【００３４】
環状空間Ｃを経て、転がり軸受２３の軸受空間を通過した潤滑油は、転がり軸受２１の軸方向他端側の軸受空間の開口を通じて、転がり軸受２３の軸方向他端側に設けられたハウジング端部空間Ｂに入り込む。その後、ハウジング１１内の外径寄りの部分に形成された潤滑油の循環通路１２によって、オイルポンプ６０の作動機構部３０側へと戻っていく。
【００３５】
循環通路１２は、ハウジング端部空間Ｂから半径方向外側へ伸びる径方向潤滑経路１２ｂと、その径方向潤滑経路１２ｂから軸部材３２の軸心方向に沿って設けられた軸方向潤滑経路１２ａとを備える。
【００３６】
また、環状空間Ｃを経て、転がり軸受２２，２１の軸受空間を通過した潤滑油は、転がり軸受２１の軸方向一端側の軸受空間の側方開口Ｄを通じて、オイルポンプ６０の作動機構部３０側へと戻っていく。
【００３７】
これにより、オイルポンプの作動機構部３０と、軸受ユニット２０の転がり軸受２１，２２，２３が、共通の潤滑油によって潤滑される。
【００３８】
ところで、転がり軸受２１，２２，２３の軸受空間からは、摩耗粉（鉄粉等）等の異物が発生することがある。この異物が、オイルポンプ６０の作動機構部３０や、循環経路途中の他の作動機構部７０に侵入することは好ましくない。そこで、転がり軸受２１の軸方向一端側の軸受空間の側方開口Ｄ、及び、循環通路１２の軸方向一端側の開口１２ｃ、すなわち、軸方向潤滑経路１２ａの開口１２ｃにシール部材４０（以下、実施形態では、円環状のシール部材４０を用いているので、これをシールリング４０と称する）が取付られている。
【００３９】
シールリング４０は、転がり軸受２１の軸方向一端側の軸受空間の側方開口Ｄ、及び、循環通路１２の軸方向一端側の開口１２ｃを覆うように、ハウジング１１及び外輪１１に取付けられる。転がり軸受２１の軸方向一端側の軸受空間の側方開口Ｄは、外輪１と内輪２の軌道面１ａ，２ａに沿って環状に形成されているので、それを覆うシールリング４０も環状を成すものとなっている。
【００４０】
シールリング４０は、図２に示すように、その筒軸方向端面４１が、ハウジング１１の端面１１ａに当接する円筒状部材からなる円筒部４２と、円筒部４２の筒軸方向一端部から内径側に向かって立ち上がる壁部４３とを備える。
【００４１】
壁部４３には、フィルタ４６が設けられている。フィルタ４６は、貫通穴からなるフィルタ孔４６ａの集合によって、転がり軸受２１，２２の軸受空間からの異物の通過を阻止し、潤滑油の通過は許容されるものである。このとき、フィルタ孔４６ａの内径は、作動機構部３０側へ侵入しても影響がない程度の異物の通過は許容されるよう、適宜の寸法に設定される。
【００４２】
また、円筒部４２の筒軸方向他端部から、さらに他端側へ向かって係止部４９が伸びている。
【００４３】
係止部４９は、ハウジング１１の内径面と外輪１の外径面との間を通って転がり軸受２１側へ伸びて、その係止部４９が軌道輪や間座等の軸受部材に係合することにより、シールリング４０はハウジング１１及び外輪１に固定される。
【００４４】
この実施形態では、係止部４９は、循環通路１２内を通って外輪１の外径面に圧入されるよう、軸方向一端側から他端側へ向かって伸びる軸方向部材４９ｂと、軸方向部材４９ｂの他端から、内径側へ向かって伸びる径方向部材４９ａとを備える。
【００４５】
軸方向部材４９ｂは円筒状部材の一部で構成され、外輪１の外径面に面接触する。径方向部材４９ａは、軸受の軌道輪や間座に設けた凹部に入り込んで、シールリング４０の軸方向への移動が規制される。この実施形態では、径方向部材４９ａが、転がり軸受２１の外輪１の他端側端面１ｂと、間座の一端側端面６ａに設けた段部とで形成された凹部内に入り込む構成としている。
【００４６】
また、壁部４３の内径側端部は、内輪２の大つば外径面に摺接するか、または、わずかな隙間を介して対向して、壁部４３と内輪２との間にラビリンスシール構造を形成している。ラビリンスシール構造では、潤滑油は通過が許容されるが、潤滑油に含まれる異物の通過は阻止される。
【００４７】
また、循環通路１２の軸方向一端側の開口１２ｃは、側面視円環状を成す転がり軸受２１の軸受空間の側方開口Ｄよりも外径側に位置する。この開口１２ｃは、軸受外の空間に臨んでいる。この実施形態では、循環通路１２の軸方向潤滑経路１２ａは４本設けられており、周方向に沿って９０°の間隔をおいて４箇所に開口１２ｃを有しているが、この開口１２ｃの数は、必要に応じて増減してもよい。
【００４８】
シールリング４０は、循環通路１２の開口１２ｃを覆い、且つ、異物の通過を阻止するフィルタ４７を備えた循環通路閉塞部４８を備える（図３参照）。
【００４９】
この実施形態では、循環通路閉塞部４８は、周方向に沿って１８０°の間隔をおいて２箇所に設けられている。それぞれの循環通路閉塞部４８が、対応する方位にある循環通路１２の開口１２ｃを覆うようになっている。この循環通路閉塞部４８は、循環通路１２の開口１２ｃと同数まで増やすこともできる。
【００５０】
係止部４９は、循環通路１２内に入り込んでがたつきなく固定されるよう、その幅（転がり軸受の周方向への幅）は循環通路１２の幅（同じく転がり軸受の周方向への幅）と合致している。したがって、係止部４９は、循環通路閉塞部４８と同じ方位に配置される。なお、係止部４９及び循環通路閉塞部４８は、円筒部４２や壁部４３と一体の部材で構成されるが、係止部４９や循環通路閉塞部４８を、円筒部４２や壁部４３とは別体の部材として、それらを固定する構成としてもよい。
【００５１】
循環通路閉塞部４８は、軸方向に沿って相対的に外径方向へ高く突出する凸部である第一突出部４８ａと、相対的に突出高さが低い凸部である第二突出部４８ｂとを備える。第一突出部４８ａ及び第二突出部４８ｂの外面はいずれも円筒面状である。
【００５２】
径方向への凸部である第二突出部４８ｂは、循環通路１２の軸方向潤滑経路１２ａ内に入り込んで、その円筒面状の外面が、軸方向潤滑経路１２ａの円筒面状の内面に面接触する。第二突出部４８ｂの幅（同じく転がり軸受の周方向への幅）は係止部４９の幅と同じであり、これは、循環通路１２の幅と合致している。これにより、シールリング４０は、ハウジング１１及び外輪１に対して回り止めされる。すなわち、第二突出部４８ｂと循環通路１２とは、シールリング４０の回り止め手段として機能している。また、この実施形態では、シールリング４０に設けた軸方向への凸部である係止部１９と、ハウジング１１側の循環通路１２も、シールリング４０の回り止め手段として機能している。
【００５３】
第一突出部４８ａは、第二突出部４８ｂよりも外径方向に高く突出しており、循環通路１２内には入り込まない。第一突出部４８ａの第二突出部４８ｂ側の端面が、循環通路１２の開口１２ｃ周囲におけるハウジング１１の端面１１ａに当接することにより、シールリング４０が軸方向に位置決めされる。
【００５４】
循環通路閉塞部４８に備えるフィルタ４７は、貫通穴からなるフィルタ孔４７ａの集合によって構成され、転がり軸受２３の軸受空間からの異物の通過を阻止し、潤滑油の通過は許容されるものである。このとき、フィルタ孔４７ａの内径は、作動機構部３０側へ侵入しても影響がない程度の異物の通過は許容されるよう、適宜の寸法に設定される。具体的には、フィルタ４６の貫通穴４６ａの内径と同じとできる。
【００５５】
このように、転がり軸受２１，２２，２３の軸受空間からの潤滑油は、シールリング４０に設けた内外２箇所のフィルタ４６，４７を通過して、軸受外へ流出する。このため、作動機構部３０の動作に影響が出るような大きな異物（金属からなる摩耗粉の他、特に剥離片等）は、作動機構部３０側へは侵入しないようになっている。
【００５６】
この実施形態では、シールリング４０は合成樹脂の成形品からなるものとし、壁部４３のフィルタ４６、循環通路閉塞部４８のフィルタ４７を、それぞれ、シールリング４０の本体の部材とは別部材として、その別部材をシールリング４０の本体に、嵌め込み固定としている。この実施形態では、フィルタ４６，４７としてパンチングメタルを使用している。なお、フィルタ４６，４７の固定方法は、嵌め込み固定の他、埋め込み、接着等の種々の手段で固定するようにしてもよい。
【００５７】
なお、フィルタ４６，４７は、合成樹脂の成形品からなるシールリング４０の本体に、フィルタ孔４６ａ，４７ａを一体に形成してもよい。さらに、シールリング４０の素材としては、金属、ゴム等の他の素材を用いてもよい。
【００５８】
パンチングメタルからなるフィルタ４７の外縁は、循環通路閉塞部４８の第二突出部４８ｂの外面からやや突出している。この実施形態では、フィルタ４７の外縁は、図３に示すように、第一突出部４８ａの外面と面一の円弧状である。このため、フィルタ４７は、図２に示すように、ハウジング１１の端面１１ａに当接し、その端面１１ａとの摩擦によりしっかりと固定される。
【００５９】
また、図３及び図４に示すように、シールリング４０は、転がり軸受２１の軸受空間の側方開口Ｄに沿う円環状を成し、その円環の周方向に沿って分割された複数の分割シール部材４０’の連結体である。
【００６０】
それぞれの分割シール部材４０’は、壁部４３に円弧状に伸びる長孔４３ａを有し、フィルタ４７は、その長孔４３ａを覆うように取り付けられている。
【００６１】
ここで、図３に示すように、シールリング４０として、循環通路閉塞部４８及び係止部４９を備えない分割シール部材４０’が介在してもよいし、逆に、循環通路閉塞部４８及び係止部４９を二つ以上備える分割シール部材４０’が介在してもよい。
【００６２】
さらに、この実施形態では、シールリング４０を４分割として、中心角９０°の分割シール部材４０’を四つ用いることで円環状のシールリング４０を構成しているが、この中心角は９０°以外であってもよい。例えば、中心角１８０°の分割シール部材４０’を二つ用いることで円環状のシールリング４０を構成してもよいし、中心角６０°の分割シール部材４０’を六つ用いることで円環状のシールリング４０を構成してもよい。
【００６３】
周方向に隣り合う分割シール部材４０’同士の固定は、接続部Ｊを構成する互いの対向部に備えられた係合手段５９により行われるようになっている。
【００６４】
分割シール部材４０’同士の接続部Ｊの例を、図４及び図５に示す。この例の係合手段４９は、周方向に隣り合う分割シール部材４０’のうち、一方の分割シール部材４０’がその端面４０ａに備える凸部５９ａが、他方の分割シール部材４０’がその端面４０ａに備える凹部５９ｂに入り込む構成となっている。また、凸部５９ａに設けた爪５９ｃが、凹部５９ｂ内に設けた段部５９ｄに噛み合って抜け止めされ抜け止め手段として機能している。このような抜け止め手段があれば、シールリング４０の組立が容易である。また、環状に並ぶ複数の分割シール部材４０’の外周面に沿ってＣ字状の止め輪を嵌め込むことにより、円弧状の分割シール部材４０’を円周方向に連結した状態に固定し、環状のシールリング４０を構成してもよい。
【００６５】
シールリング４０は、円環状に組み立てた状態で軸受ユニット２０に取り付けてもよいし、分割シール部材４０’を個々に軸受ユニット２０に取り付けて、円環状のシールリング４０を組み立ててもよい。
【００６６】
また、シールリング４０には、異物を検出するセンサ装置５０が備えられている。センサ装置５０の詳細を、図２に示す。
【００６７】
センサ装置５０は、壁部４３のフィルタ４６よりも軸受空間側に位置し、互いに間隔を置いて配置される対の電極５３，５４と、対の電極５３，５４からそれぞれ電気配線（以下、単に配線と称する）５１，５２が伸びて電源に至る電気回路を備える。また、その配線５１，５２の先には、対の電極５３，５４間への金属からなる異物の付着に伴う電気回路の電気的出力の変化を検出することによって、潤滑油に含まれる金属片の状態を検知する出力検出装置（図示せず）等を備える。
【００６８】
対の電極５３，５４間に、フィルタ４６を通過できない大きさの金属からなる異物が付着することに伴って、出力検出装置は、電気回路の電気的出力の変化を検出し、潤滑油に、フィルタ４６を通過できないような大きな金属片からなる異物が含まれていることを検知することができる。
【００６９】
ここで、対の電極５３，５４は、その先端がシールリング４０の内面（軸受空間側の面）に露出している。特に、この実施形態では、対の電極５３，５４は、その先端がシールリング４０の内面から突出しており、対の電極５３，５４の先端間を架け渡すように異物が付着しやすくなっている。図２は、対の電極５３，５４の先端間を架け渡すように異物が付着して対の電極５３，５４間が導通している状態を示している。図２の例では、特に、対の電極５３，５４は、互いに根本部から突出側の先端に向かって徐々に狭まる形状（図ではハの字状）となっている。
【００７０】
対の電極５３，５４は、フィルタ４６のフィルタ孔４６ａの入口（軸受空間側の開口）に設けることが望ましい。フィルタ孔４６ａの軸受空間側に対の電極５３，５４が位置すれば、異物が対の電極５３，５４に接触しやすい。設置される対の電極５３，５４の数は自由であり、例えば、シールリング４０の周方向に沿って所定の間隔で等間隔に、又は、不規則な間隔でランダムに設けることができる。また、シールリング４０の径方向に沿って複数設けてもよい。可能であれば、すべてのフィルタ孔４６ａにそれぞれ対の電極５３，５４を配置する構成とすることもできる。
【００７１】
また、循環通路閉塞部４８のフィルタ４７にも、センサ装置５０を設けることができる。フィルタ４７に設けられるセンサ装置５０の構成は、前述のフィルタ４６のセンサ装置５０と同様であるので、説明を省略する。
【００７２】
センサ装置５０の配線５１，５２は、対の電極５３，５４からシールリング４０の壁部４３内、円筒部４２内を通って、フレームＦに固定されたケーシング１１の端面１１ａの側方を通って軸受ユニット２０外へ引き出されている。この実施形態では、配線５１，５２は、図１及び図２に示すように、シールリング４０の最も外径側に位置する循環通路閉塞部４８内を通って、循環通路閉塞部４８の頂部（最外径部）から外部へ引き出されている。この引き出し地点はシールリング４０の各所に自由に設定してよいが、配線保護の観点から、できる限り外径寄りの地点であることが望ましい。このため、最外径部である循環通路閉塞部４８の頂部を配線５１，５２の引き出し部とすることが有効である。
【００７３】
この実施形態では、それぞれの分割シール部材４０’にセンサ装置５０を備え、センサ装置５０の配線５１，５２の引き出し部は、それぞれの分割シール部材４０’に別々に備えられている。
【００７４】
ただし、配線５１，５２の引き出し部の配置はこの実施形態には限定されず、例えば、配線５１，５２の引き出し部を、複数の分割シール部材４０’のうちの一部に限定してもよい。この場合、引き出し部がない分割シール部材４０’の電極５３，５４を、電源にどう接続するかが問題となる。そこで、周方向に隣り合う分割シール部材４０’間に、互いが備える配線５１，５２同士を電気的に接続する配線接続部Ｋを備える構成とすることができる。
【００７５】
配線接続部Ｋは、例えば、図６（ａ）に示すように、周方向に隣り合う分割シール部材４０’の対向部間に備えられる接触子５１ａ，５１ｂ；５２ａ，５２ｂ同士が導通状態に密着して構成することができる。接触子５１ａ，５１ｂ；５２ａ，５２ｂ同士の密着により、隣り合う分割シール部材４０’の配線５１，５２同士を電気的に接続することができる。
【００７６】
ここで、対向する接触子５１ａ，５１ｂ、接触子５２ａ，５２ｂ同士は、それぞれ一方５１ａ，５２ａが凸部を成し、他方が凹部となっている。凸部が凹部内に入り込むことで、互いの密着面積を増やすとともに、接触子５１ａ，５１ｂ、接触子５２ａ，５２ｂ同士の位置ずれを防止している。
【００７７】
すなわち、周方向に隣り合う分割シール部材４０’同士は、互いの対向部に備えられた係合手段５９により固定されるので、この固定が行われると同時に、配線５１，５２同士が電気的に接続されるようになっている。
【００７８】
このように、電源に至る配線５１，５２は、複数の分割シール部材４０’のうち一つの分割シール部材４０’から電源へ向かって引き出され、その他の分割シール部材４０’の配線５１，５２は、配線接続部Ｋを介して、引き出し部を設けた一つの分割シール部材４０’の配線５１，５２と接続すれば、配線５１，５２の外部への引き出し部の数を最小源に押さえることで、電気的な不具合の発生を抑制することができる。
【００７９】
このため、例えば、電源への配線５１，５２の引き出し部を一つの分割シール部材４０’のみに設け、他の分割シール部材４０’の配線５１，５２は、配線接続部Ｋを介して引き出し部を設けた一つの分割シール部材４０’の配線５１，５２を通じて、電源と接続されている構成とすることができる。
【００８０】
なお、図５（ａ）に示すように、周方向に隣り合う分割シール部材４０’の端面４０ａ，４０ｂの少なくとも一方４０ａに凹部６０ａを備え、その凹部６０ａに対向する他方の分割シール部材４０’の端面４０ｂとによって孔部６０が構成されるようにしてもよい。この孔部６０によって、軸受空間の側方開口Ｄから軸受外へと異物が流出することを防止するフィルタ部４６の一部を構成することができる。
【００８１】
この孔部６０は、例えば、図７（ａ）のように、軸受空間の側方開口Ｄから軸受外へ向かって屈曲した形状とすることもできる。周方向に隣り合う分割シール部材４０’の端面４０ａ，４０ｂに、互いに位置をずらして凹部６０ａを設けることによって、接続部Ｊに、屈曲した孔部６０を形成することができる。
【００８２】
ここで、シールリング４０は、ケーシング１１に対して回り止めされている。このため、配線５３，５４の断線等のトラブルを防止することができる。
【００８３】
この実施形態では、シールリング４０のケーシング１１に対する回り止めは、シールリング４０に設けた凸部、すなわち、循環通路閉塞部４８及び係止部４９が、循環通路１２内に（前記幅方向に対して）ぴったりと入り込んでいることにより行われている。さらに、この実施形態は、その回り止めの箇所を配線５３，５４の引き出し地点としているので、配線５３，５４に外力が作用しにくくなっている。
【００８４】
この回り止めは、循環通路１２内に入り込む循環通路閉塞部４８及び係止部４９以外によって行うこともできる。例えば、シールリング４０の円筒部４２の端面と、ハウジング１１の端面１１ａとの間に、互いに噛み合う凹凸等を設けることにより行うこともできる。また、シールリング４０の円筒部４２の内面若しくは係止部４９等の軸方向への突出部材と、それに接触する外輪１の外径面との間に、互いに噛み合う凹凸等を設けることにより行うこともできる。シールリング４０に凸部を、ハウジング１１側に凹部を設ける場合は、その凹部は、上記のように、潤滑油用の循環経路１２の開口とすることができる。
【００８５】
この実施形態では、配線５１，５２の途中区間は、シールリング４０の部材に埋め込まれて固定されている。すなわち、対の電極５３，５４おりの根本部から、外部への引き出し地点まで、配線５１，５２は、シールリング４０の部材に埋め込まれて露出していない構成としている（図１、図２等参照）。ただし、配線５３，５４の強度や損傷の危惧がない場合は、配線５１，５２を、シールリング４０の部材の外部に、その外面に沿わせて配置してもよい。
【００８６】
配線５１，５２を、シールリング４０の部材の外部に配置する場合、例えば、図６ｂに示すように、シールリング４０の壁部４３又は円筒部４２に、配線引き出し用の孔部４３ｂを設けることができる。この孔部４３ｂを配線５１，５２の引き出し部とすることで、各配線５１，５２を、シールリング４０の外面に沿って電源へ導くことができる。
【００８７】
上記の実施形態では、フィルタ４６，４７は、パンチングメタルによるフィルタ孔４６ａの集合で構成されている。このため、各フィルタ孔４６ａ，４７ａは、パンチングメタルの厚さ方向全長に亘って一定の内径を有する直線状の貫通孔で構成されている。
【００８８】
これを、例えば、図７（ｂ）に示すように、複数枚のパンチングメタルを並列して用いることにより、フィルタ孔４６ａ，４７ａを、軸受空間側から軸受外で向かう途中で屈曲させることもできる。フィルタ孔４６ａ，４７ａの内面の位置が、フィルタ部４６，４７の面方向に沿ってずれるように配置する。フィルタ孔４６ａ，４７ａが途中で屈曲していれば、異物ｐの捕捉効果を高めることができる。特に、細長い剥離片のような異物には有効である。このとき、複数毎のパンチングメタルは、互いに接触状態で重ねて使用することもできるが、図７（ｂ）に示すように、その厚さ方向へ僅かな距離を隔てて並列させることが好ましい。
【００８９】
以上の実施形態では、循環通路１２の軸方向一端側の開口１２ｃは、循環通路閉塞部４８のフィルタ４７を介して軸受外の空間に臨む構成としたが、この開口１２ｃを、シールリング４０内の空間に臨むようにした構成を採用することもできる。すなわち、循環通路１２の軸方向一端側の開口１２ｃからの潤滑油が、壁部４３のフィルタ４６を通過する構成である。この場合、循環通路閉塞部４８のフィルタ４７の設置は不要である。
【００９０】
また、この実施形態では、シールリング４０はハウジング１１と外輪１の両方に固定された形態となっているが、これを、ハウジング１１には固定せず外輪１のみに取り付けた構成としてもよい。逆に、外輪１には固定せずハウジング１１のみに取り付けた構成としてもよい。
【００９１】
さらに、これらの実施形態では、外輪１は固定側、内輪２は回転側であり、シールリング４０は固定側である外輪１側に固定されるが、このシールリング４０を、回転側である内輪２に嵌合等により固定することも可能である。あるいは、内輪２に固定された他の部材に固定することも可能である。
【００９２】
仮に、シールリング４０を回転側に取り付ける場合、シールリング４０にセンサ装置５０を取り付ける際には、配線５３，５４を軸受外に引き出す構造として、回転側の部材に取り付けた配線５３，５４と、固定のハウジング１１側に取り付けた配線５３，５４とを、ブラシ等の接触子を用いて常時通電できる構造とすることができる。
【００９３】
また、外輪１を回転側、内輪２を固定側とした転がり軸受にもこの発明のシールリング４０を適用できる。この場合、シールリング４０は、固定側である内輪２側に固定した構成とすることもできるし、回転側である外輪１に固定した構成とすることもできる。
【００９４】
また、この発明のシール部材は、実施形態以外の各種の転がり軸受ユニットにも適用できる。さらに、そのシール部材を備えた転がり軸受ユニットは、オイルポンプ６０以外の各種装置にも適用できる。特に、この発明の転がり軸受は、転がり軸受から発生する摩耗粉（鉄粉等）等の異物が、潤滑油の循環経路の途中にある作動機構部７０に侵入することを防ぐ必要がある種々の装置に適用できる。
【符号の説明】
【００９５】
１  外輪（外側軌道輪）
２  内輪（内側軌道輪）
３  転動体
４  保持器
５，６，７  間座
８  押え部材
１０  オイルポンプ装置
１１  ハウジング
１２，１３  循環経路
２０  軸受ユニット
２１，２２，２３  転がり軸受
３０  作動機構部
３１  接続部材
３２  軸部材
４０  シールリング（シール部材）
４０’  分割シール部材
４６，４７  フィルタ部
４８  循環通路閉塞部
４９  係止部
５０  センサ装置
５１，５２  配線
５３，５４  電極
６０  オイルポンプ
７０  作動機構部
【図１】
2017180727.tif 000003
【図２】
2017180727.tif 000004
【図３】
2017180727.tif 000005
【図４】
2017180727.tif 000006
【図５】
2017180727.tif 000007
【図６】
2017180727.tif 000008
【図７】
2017180727.tif 000009